Podtech/llm-jp-corpus-v4-ja_patent huggingface dataset:
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
７−［４−（４−ベンゾ［ｂ］チオフェン−４−イル−ピペラジン−１−イル）ブトキシ］−１Ｈ−キノリン−２−オン又はその塩の、二水和物。
【請求項２】
７−［４−（４−ベンゾ［ｂ］チオフェン−４−イル−ピペラジン−１−イル）ブトキシ］−１Ｈ−キノリン−２−オンの、二水和物。
【請求項３】
モノクロメーターを通したλ＝１．５４１８Åの銅放射線を用いて測定されたＸ線粉末回折パターンにおいて、下記に示す回折角（２θ）に特徴的なピークを有する請求項２に記載の二水和物。
回折角（２θ）
８．１°
８．９°
１５．１°
１５．６°
２４．４°
【請求項４】
臭化カリウム錠剤法によって測定された赤外吸収スペクトルにおいて、
３５０９ｃｍ−１、
２９３４ｃｍ−１、
２８１２ｃｍ−１、
１６５１ｃｍ−１、
１６２６ｃｍ−１、
１４４７ｃｍ−１、
１２２３ｃｍ−１、及び
８３９ｃｍ−１
に特徴的なピークを有する請求項２又は３に記載の二水和物。
【請求項５】
ラマンスペクトルにおいて、
１４９７ｃｍ−１、
１３７６ｃｍ−１、
１３２３ｃｍ−１、
１３１１ｃｍ−１、
１２８７ｃｍ−１、
１２２３ｃｍ−１、及び
７８１ｃｍ−１
に特徴的なピークを有する請求項２〜４のいずれかに記載の二水和物。
【請求項６】
水分量が、６．５〜８．８重量％である請求項２〜５のいずれかに記載の二水和物。
【請求項７】
１Ｈ−ＮＭＲスペクトルにおいて、
１．６４ｐｐｍ（ｔｔ，Ｊ＝７．４Ｈｚ，Ｊ＝７．４Ｈｚ，２Ｈ）、
１．８０ｐｐｍ（ｔｔ，Ｊ＝７．０Ｈｚ，Ｊ＝７．０Ｈｚ，２Ｈ）、
２．４４ｐｐｍ（ｔ，Ｊ＝７．５Ｈｚ，２Ｈ）、
２．６２ｐｐｍ（ｂｒ，４Ｈ）、
３．０６ｐｐｍ（ｂｒ，４Ｈ）、
３．３２ｐｐｍ（ｓ，４Ｈ＋Ｈ２Ｏ）、
４．０６ｐｐｍ（ｔ，Ｊ＝６．５Ｈｚ，２Ｈ）、
６．２９ｐｐｍ（ｄ，Ｊ＝９．５Ｈｚ，１Ｈ）、
６．８０ｐｐｍ（ｄ，Ｊ＝２．５Ｈｚ，１Ｈ）、
６．８０ｐｐｍ（ｄｄ，Ｊ＝２．５Ｈｚ，Ｊ＝９．０Ｈｚ，１Ｈ）、
６．８８ｐｐｍ（ｄ，Ｊ＝７．５Ｈｚ，１Ｈ）、
７．２７ｐｐｍ（ｄｄ，Ｊ＝７．８Ｈｚ，Ｊ＝７．８Ｈｚ，１Ｈ）、
７．４０ｐｐｍ（ｄｄ，Ｊ＝０．５Ｈｚ，Ｊ＝５．５Ｈｚ，１Ｈ）、
７．５５ｐｐｍ（ｄ，Ｊ＝９．０Ｈｚ，１Ｈ）、
７．６１ｐｐｍ（ｄ，Ｊ＝８．０Ｈｚ，１Ｈ）、
７．６９ｐｐｍ（ｄ，Ｊ＝５．５Ｈｚ，１Ｈ）、
７．８０ｐｐｍ（ｄ，Ｊ＝９．５Ｈｚ，１Ｈ）、及び
１１．５７ｐｐｍ（ｓ，１Ｈ）
に１Ｈ−ＮＭＲのピークを有する請求項２〜６のいずれかに記載の二水和物。
【請求項８】
（１）酢酸及び乳酸よりなる群から選ばれる少なくとも１種の有機酸、エタノール−水混合溶液、並びに７−［４−（４−ベンゾ［ｂ］チオフェン−４−イル−ピペラジン−１−イル）ブトキシ］−１Ｈ−キノリン−２−オンを混合し、酸性の溶液を調製する工程、
（２）工程（１）で得られた溶液を５℃以下に冷却する工程、並びに
（３）工程（２）で冷却した溶液と、アルカリとを混合し、溶液のｐＨを７以上に調整する工程を含む
７−［４−（４−ベンゾ［ｂ］チオフェン−４−イル−ピペラジン−１−イル）ブトキシ］−１Ｈ−キノリン−２−オンの、二水和物の製造方法。
【請求項９】
請求項８に記載の方法によって得られる７−［４−（４−ベンゾ［ｂ］チオフェン−４−イル−ピペラジン−１−イル）ブトキシ］−１Ｈ−キノリン−２−オンの、二水和物。
【請求項１０】
請求項２〜７、及び９のいずれかに記載の二水和物と、７−［４−（４−ベンゾ［ｂ］チオフェン−４−イル−ピペラジン−１−イル）ブトキシ］−１Ｈ−キノリン−２−オン又はその塩の、無水物とを含有し、該二水和物の含有割合が６０重量％以上であるベンゾチオフェン化合物組成物であって、
中枢神経疾患を治療及び／又は予防するために用いられるベンゾチオフェン化合物組成物。
【請求項１１】
請求項２〜７、及び９のいずれかに記載の二水和物を有効成分とするドパミンＤ２受容体パーシャルアゴニスト及び／または５−ＨＴ２Ａ受容体アンタゴニスト及び／またはセロトニン取り込み阻害剤及び／またはセロトニン再取り込み阻害剤及び／またはα１受容体アンタゴニスト。
【請求項１２】
請求項２〜７、及び９のいずれかに記載の二水和物と医薬上許容され得る担体とを含む医薬組成物。
【請求項１３】
請求項２〜７、及び９のいずれかに記載の二水和物を有効成分として含有する中枢神経疾患を予防及び/又は治療するための医薬組成物。
【請求項１４】
統合失調症、治療抵抗性、難治性又は慢性統合失調症、感情障害、精神病性障害、気分障害、双極性障害、躁病、うつ病、内因性うつ病、大うつ病、メランコリー及び治療抵抗性うつ病、気分変調性障害、気分循環性障害、不安障害、身体表現性障害、虚偽性障害、解離性障害、性障害、摂食障害、睡眠障害、適応障害、物質関連障害、無快感症、せん妄、認知障害、アルツハイマー病、パーキンソン病、その他の神経変性疾患に伴う認知障害、認知症に伴うBPSD、統合失調症の認知障害、治療抵抗性、難治性又は慢性統合失調症に起因する認知障害、嘔吐、乗物酔い、肥満、偏頭痛、疼痛、精神遅滞、自閉症、トウレット障害、チック障害、注意欠陥多動性障害、行為障害及びダウン症候群からなる群より選ばれる中枢神経疾患を予防または治療するための請求項１２又は１３に記載の医薬組成物。
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
原子炉圧力容器（１）内に配置された少なくとも２つの給水分配器（２０）を含む原子力発電所用給水分配システム（１２）であって、それぞれの給水分配器（２０）が、
・１つの内部流路（３０）を備えた厳密に１つのリング状本体部（１７）を有し、
・少なくとも１つの注入短管（２４）を有し、この注入短管が少なくとも１つの注入開口（２６）を経由して前記内部流路（３０）と流体的に接続されており、
・複数の出口ノズル（２２）を有し、これらの出口ノズルが前記内部流路（３０）と流体的に接続されており、さらに、１つの給水分配器（２０）のそれぞれの注入短管（２４）がその給水分配器（２０）のそれぞれの出口ノズル（２２）と流体的に接続されている、給水分配システム。
【請求項２】
前記各給水分配器（２０）の複数の出口ノズル（２２）がそれぞれの給水分配器（２０）の本体部（１７）にわたって周囲方向に見て均等に分布されている請求項１に記載の給水分配システム。
【請求項３】
前記各給水分配器（２０）が４０〜５０個の前記出口ノズル（２２）を有する請求項１または２に記載の給水分配システム。
【請求項４】
前記各給水分配器（２０）の前記本体部（１７）が１つの円形断面を有する請求項１ないし３のいずれか１つに記載の給水分配システム。
【請求項５】
前記複数の給水分配器（２０）の複数の前記本体部（１７）が上下に重ねて配置されている請求項１ないし４のいずれか１つに記載の給水分配システム。
【請求項６】
少なくとも１つの給水分配器（２０）の複数の出口ノズル（２２）の全てのノズル開口部が原子炉圧力容器（１）の炉床（２）に向けられている請求項１ないし５のいずれか１つに記載の給水分配システム。
【請求項７】
２個以上で４個以下の給水分配器（２０）が形成されている請求項１ないし６のいずれか１つに記載の給水分配システム。
【請求項８】
２個よりも多い給水分配器（２０）が形成されている請求項１ないし６のいずれか先行する複数の請求項の１つに記載の給水分配システム。
【請求項９】
前記各本体部（１７）が複数の保持要素（２８）により前記原子炉圧力容器（１）の内壁に固定されている請求項１ないし８のいずれか１つに記載の給水分配システム。
【請求項１０】
前記複数の保持要素（２８）が前記各給水分配器（２０）の前記本体部（１７）に、前記本体部（１７）の１つの注入開口（２６）または１つの注入短管（２４）を中心にして対称的に配置されている請求項９に記載の給水分配システム。
【請求項１１】
前記各給水分配器（２０）が厳密に１つの注入短管（２４）を有する請求項１ないし１０のいずれか１つに記載の給水分配システム。
【請求項１２】
前記各本体部（１７）が前記１つの注入短管（２４）に対して２つの注入開口（２６）を有する請求項１１に記載の給水分配システム。
【請求項１３】
前記各本体部（１７）の前記内部流路（３０）が前記両注入開口（２６）の間で遮断されている請求項１２に記載の給水分配システム。
【請求項１４】
請求項１ないし１３のいずれか１つにより構成されている給水分配システム（１２）を備えた原子炉。
【請求項１５】
請求項１〜１３のいずれか１つの給水分配システム（１２）を有する原子力発電所の運転方法であって、始動運転時には厳密に１つの給水分配器（２０）が使用され、全負荷運転時には１つよりも多い給水分配器（２０）が使用される運転方法。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
ポリマーマトリックス及びナノスケール分散相を含み、ランダムな異方性ナノ構造化表面を示し、６０°のオフ角で１％未満の平均反射率を示す、ナノ構造化材料。
【請求項２】
前記ナノスケール相が、６０ｎｍ〜９０ｎｍの範囲の大きさ、３０ｎｍ〜５０ｎｍの範囲の大きさ、及び２５ｎｍ未満の大きさで存在し、前記ナノスケール相が、前記ポリマーマトリックス及びナノスケール相の総重量に対して、６０ｎｍ〜９０ｎｍの範囲の大きさでは０．２５重量％〜５０重量％、３０ｎｍ〜５０ｎｍの範囲の大きさでは１重量％〜５０重量％、及び２５ｎｍ未満の大きさでは０．２５重量％〜２５重量％の範囲で存在する、請求項１に記載のナノ構造化材料。
【請求項３】
請求項１又は２に記載のナノ構造化材料を作製する方法であって、
ナノ分散相を含むポリマーマトリックスを与えることと、
プラズマを使用して前記ポリマーマトリックスを異方性エッチングしてランダムなナノ構造化表面を形成することと、を含む方法。
【請求項４】
請求項１又は２に記載のナノ構造化材料を作製する方法であって、
ナノ分散相を含むポリマーマトリックスを与えることと、
プラズマを使用して前記ポリマーマトリックスの少なくとも一部分をエッチングして、ランダムなナノ構造化表面を形成することと、を含む方法。
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
複数のリソースマネージャに対してトランザクションをリカバリする方法であって、前記方法は、
前記複数のリソースマネージャの中のリソースマネージャを決定リソースとして指定することを含み、前記決定リソースはコミットすべき未処理のトランザクションのリストを維持しており、
前記複数のリソースマネージャの中の各リソースマネージャからインダウトトランザクションのリストを取得することと、
前記複数のリソースマネージャの中の少なくとも１つの前記リソースマネージャに対して、前記インダウトトランザクションのリストの中の１つ以上のインダウトトランザクションをコミットすることとを含み、前記１つ以上のインダウトトランザクションは、前記決定リソースから与えられた前記コミットすべき未処理のトランザクションのリストと一致する、方法。
【請求項２】
トランザクションをリカバリするためのシステムであって、前記システムは、
トランザクションマネージャと、
中間層トランザクションシステムにおいて前記トランザクションマネージャと通信する複数のリソースマネージャとを備え、
前記トランザクションマネージャは以下のステップを実行するように動作し、前記ステップは、
前記複数のリソースマネージャの中のリソースマネージャを決定リソースとして指定することを含み、前記決定リソースはコミットすべき未処理のトランザクションのリストを維持しており、
前記複数のリソースマネージャの中の各リソースマネージャからインダウトトランザクションのリストを取得することと、
前記複数のリソースマネージャの中の少なくとも１つの前記リソースマネージャに対して、前記インダウトトランザクションのリストの中の１つ以上のインダウトトランザクションをコミットすることとを含み、前記１つ以上のインダウトトランザクションは、前記決定リソースから与えられた前記コミットすべき未処理のトランザクションのリストと一致する、システム。
【請求項３】
前記トランザクションマネージャは、前記複数のリソースマネージャの中の少なくとも１つの前記リソースマネージャに対して、前記インダウトトランザクションのリストの中の１つ以上のインダウトトランザクションをロールバックするように動作し、前記１つ以上のインダウトトランザクションは、前記コミットすべき未処理のトランザクションのリストと一致し得ない、請求項２に記載のシステム。
【請求項４】
前記トランザクションは２フェーズコミットトランザクションである、請求項２または３に記載のシステム。
【請求項５】
前記トランザクションマネージャは、前記２フェーズコミットトランザクションにおける準備フェーズの実行前に、トランザクション中間層システムのための構成において前記決定リソースを持続させるように動作する、請求項４に記載のシステム。
【請求項６】
前記トランザクションマネージャは、
前記決定リソースを、前記複数のリソースマネージャの中のその他すべてのリソースマネージャの準備後に準備することと、
前記決定リソースを、前記複数のリソースマネージャの中のその他すべてのリソースマネージャのコミット後にコミットすることとをさらに含むステップを実行するように動作する、請求項２〜５のいずれか１項に記載のシステム。
【請求項７】
前記複数のリソースマネージャの中の少なくとも１つのリソースマネージャは前記トランザクションの不参加者である、請求項６に記載のシステム。
【請求項８】
前記トランザクションマネージャは、前記決定リソースから返されたインダウトトランザクションのリストを、前記複数のリソースマネージャの中のその他すべてのリソースマネージャをリカバリした後にコミットするように動作する、請求項２〜７のいずれか１項に記載のシステム。
【請求項９】
前記トランザクションマネージャは、
前記決定リソースから返されたインダウトトランザクションのリストから、グローバルトランザクションテーブル（ＧＴＴ）をビルド／リビルドすることと、
各インダウトトランザクションを前記ＧＴＴと比較することとをさらに含むステップを実行するように動作する、請求項２〜７のいずれか１項に記載のシステム。
【請求項１０】
前記トランザクションマネージャは、
前記決定リソースに、前記トランザクションに登録されている前記複数のリソースマネージャの中の参加者リソースマネージャのリストを送ることと、
前記参加者リソースマネージャのリストがリカバリされるまで、前記決定リソースをリカバリ前に待機させるよう構成することとをさらに含むステップを実行するように動作する、請求項２〜７のいずれか１項に記載のシステム。
【請求項１１】
実行されるとシステムに以下のステップを行なわせる機械読取可能なプログラムであって、前記ステップは、
複数のリソースマネージャの中のリソースマネージャを決定リソースとして指定することを含み、前記決定リソースはコミットすべき未処理のトランザクションのリストを維持しており、
前記複数のリソースマネージャの中の各リソースマネージャからインダウトトランザクションのリストを取得することと、
前記複数のリソースマネージャの中の少なくとも１つの前記リソースマネージャに対して、前記インダウトトランザクションのリストの中の１つ以上のインダウトトランザクションをコミットすることとを含み、前記１つ以上のインダウトトランザクションは、前記決定リソースから与えられた前記コミットすべき未処理のトランザクションのリストと一致する、機械読取可能なプログラム。
【手続補正２】
【補正対象書類名】明細書
【補正対象項目名】００５９
【補正方法】変更
【補正の内容】
【００５９】
次に、トランザクションマネージャ５０１は、たとえば、トランザクション中間層システム５００における、参加しているリソースマネージャ５０３（ステップ４）および参加していないリソースマネージャ５０４（ステップ１０）を含む、その他すべてのリソースマネージャに対して、XA_recover()コールを行なうことによって、リカバリしようと試みることができる。
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
第１の空間解像度と第１の格子間隔とを有する入力データを受信するステップと、
自動的に調節可能なカーネルを用いて前記入力データをリサンプリングするステップと、
第２の空間解像度と第２の格子間隔とを有する出力データを提供するステップと、
のステップを含む適応ダウンサンプリングの方法であって、
前記第２の空間解像度は、実質的に、前記第２の格子間隔にわたり一定であり、
前記自動的に調節可能なカーネルを決定するステップを含み、
前記入力データは、機器の視界（ＦＯＶ）によって受信された画像を含み、
前記自動的に調節可能なカーネルを決定するステップは、
空間周波数の関数として前記機器のＭＴＦを決定するステップと、
前記出力データの前記第２の格子間隔を、前記機器の前記ＦＯＶの前記第１の格子間隔にマップする関数を決定するステップと、
前記ＭＴＦが所定の値を有する前記格子位置の各々に対して前記カーネルを計算するステップと、を含む、
方法。
【請求項２】
前記入力データは、画像データを含み、前記出力データは、前記画像データのリサンプリングされたデータを含む、請求項１に記載の方法。
【請求項３】
前記画像データは、前記第１の空間解像度および前記第１の格子間隔における地球の画像であり、
前記出力データは、前記第２の空間解像度および前記第２の格子間隔における地球の前記画像のリサンプリングされたデータである、請求項２に記載の方法。
【請求項４】
前記入力データを受信するステップは、
軌道周回プラットフォームに配置された機器から画像データを受信するステップであって、該機器は、フォーカル・プレーン・アレー（ＦＰＡ）におけるピクセルを含み、該ピクセルは、前記第１の格子間隔における前記第１の空間解像度を提供する、ステップを含み、
前記出力データを提供するステップは、前記第２の格子間隔で前記第２の空間解像度を有する地球座標系システムにおいて、地球の画像を出力するステップを含む、
請求項１に記載の方法。
【請求項５】
前記カーネルを計算するステップは、前記ＭＴＦが０．５の値を有する空間周波数を見つけるステップを含む、請求項１に記載の方法。
【請求項６】
前記カーネルを計算するステップは、
前記第２の格子間隔の複数格子位置の各々において、前記関数の微分を計算するステップと、
前記複数格子位置の各々において、調整パラメータを得るために前記微分を用いるステップと
を含む、請求項１に記載の方法。
【請求項７】
ルック・アップ・テーブル（ＬＵＴ）における前記格子位置の各々に対して、それぞれの調整パラメータを格納するステップを含む請求項１に記載の方法。
【請求項８】
イメージャの視界（ＦＯＶ）を用いて、場面のサンプルを取得するステップであって、該イメージャは、第１の座標系において該サンプルを取得する、ステップと、
前記第１の座標系において、前記サンプルの各々の位置における適応カーネルを計算するステップと、
第２の座標系において、前記場面のリサンプルされた画像を得るために、前記適応カーネルを用いるステップであって、前記適応カーネルは、前記リサンプルされた画像の実質的に一定の空間解像度を提供する、ステップと、
を含む、画像をリサンプルする方法であって、
前記適応カーネルを計算するステップは、
前記イメージャのＭＴＦを、空間周波数の関数として決定するステップと、
前記第１の座標系における前記サンプルを、前記第２の座標系において、前記リサンプルされた画像に、マップする関数を決定するステップと、
前記ＭＴＦの所定の値を使用して、前記第１の座標系の前記位置の各々において、それぞれの適応カーネルを計算するステップと、を含む、
方法。
【請求項９】
前記イメージャは、地球上に位置する前記場面を画像化するためのプラットフォームに配置される、請求項８に記載の方法。
【請求項１０】
前記第１の座標系は、第１の空間解像度と、前記イメージャの前記ＦＯＶをわたる第１の格子間隔と、を含み、
前記第２の座標系は、第２の空間解像度と、前記場面のマップをわたる第２の格子間隔と、を含む、請求項８に記載の方法。
【請求項１１】
前記それぞれの適応カーネルを計算するステップは、前記ＭＴＦが０．５の値を有する空間周波数を見つけるステップを含む、請求項８に記載の方法。
【請求項１２】
前記それぞれの適応カーネルを計算するステップは、
前記第２の座標系において、リサンプルされた画像の位置の各々において、前記関数の微分を計算するステップと、
それぞれの調整パラメータを取得するために、それぞれの微分を使用するステップと、
を含む、請求項８に記載の方法。
【請求項１３】
場面を見るため、および、第１の座標系において該場面のサンプルを取得するためのイメージャと、
第２の座標系において前記場面を見るためのディスプレイと、
前記第１の座標系におけるサンプルの各々の位置において、適応カーネルを計算するためのプロセッサと、
前記適応カーネルを用いて、第２の座標系において、前記場面のリサンプルされた画像を得るための前記プロセッサと、
を備える、画像をリサンプルするためのシステムであって、
前記適応カーネルは、前記リサンプルされた画像の実質的に一定の空間解像度を提供し、
前記プロセッサは、
前記イメージャのＭＴＦを、空間周波数の関数として決定するステップと、
前記第１の座標系における前記サンプルを、前記第２の座標系において、前記リサンプルされた画像に、マップする関数を決定するステップと、
前記ＭＴＦの所定の値を使用して、前記第１の座標系における前記位置の各々において、それぞれの適応カーネルを計算するステップと、
のステップを実行する、
システム。
【請求項１４】
前記プラットフォームは、地球をモニターするための衛星を含む、請求項１３に記載のシステム。
【請求項１５】
前記プロセッサは、前記衛星に配置される、請求項１３に記載のシステム。
【請求項１６】
前記プロセッサは、地上局に配置され、
トランスミッタが、該地上局に、前記場面の前記サンプルを送信し、
前記ディスプレイは、前記地上局に、配置される、
請求項１３に記載のシステム。
【請求項１７】
前記プロセッサは、
前記第２の座標系において、リサンプルされた画像の位置の各々において、前記関数の微分を計算するステップと、
それぞれの調整パラメータを取得するために、それぞれの微分を使用するステップと、
の追加的なステップを実行する、請求項１３に記載のシステム。
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
ネットワークにおいてバーチャルマシーンのライブマイグレーションをサポートするためのシステムであって、
１つ以上のマイクロプロセッサと、
前記１つ以上のマイクロプロセッサ上で実行され、前記ネットワークを介して相互に接続される複数のホストと、
１つ以上のバーチャルマシーンとを含み、前記１つ以上のバーチャルマシーンにおける少なくとも１つのバーチャルマシーンは、第１のホストから第２のホストへのライブマイグレーションを行なうよう動作し、
前記少なくとも１つのバーチャルマシーンにはホスト上のホストチャネルアダプタ（ＨＣＡ）によってサポートされるキューペア（ＱＰ）に関連付けられる仮想機能が付与される、システム。
【請求項２】
前記１つ以上のバーチャルマシーンを管理する少なくとも１つのバーチャルマシーンモニタをさらに含む、請求項１に記載のシステム。
【請求項３】
前記仮想機能は入出力（Ｉ／Ｏ）仮想化モデルにおいて提供される、請求項１または２に記載のシステム。
【請求項４】
前記少なくとも１つのバーチャルマシーンは、
各々がプロセス識別ナンバー（ＰＩＤ）に関連付けられる１つ以上のユーザプロセスを含むユーザスペースと、
ＰＩＤをキューペアナンバー（ＱＰＮ）にマッピングする変換テーブルを含むカーネルスペースとを含み、前記変換テーブルは、前記仮想機能を前記少なくとも１つのバーチャルマシーンから分離するよう用いられる、請求項１〜３のいずれか１項に記載のシステム。
【請求項５】
遅延分離マイグレーションプロセスが、バーチャルマシーンライブマイグレーションの間のネットワーク／サービスダウンタイムを低減するよう用いられる、請求項１〜４のいずれか１項に記載のシステム。
【請求項６】
前記少なくとも１つのバーチャルマシーンが前記第１のホストから前記第２のホストにマイグレートした後、１つ以上の位置依存のＱＰ属性が更新されることが可能である、請求項１〜５のいずれか１項に記載のシステム。
【請求項７】
各ユーザプロセスは、更新された前記１つ以上の位置依存のＱＰ属性の検索および抽出を最適化するよう動作するマッピングテーブルを含む、請求項６に記載のシステム。
【請求項８】
ＱＰ状態情報は、ＱＰの物理リソースを再割り当てするよう前記少なくとも１つのバーチャルマシーンのイメージとともにマイグレートされることが可能である、請求項１〜７のいずれか１項に記載のシステム。
【請求項９】
ピアＱＰは、前記少なくとも１つのバーチャルマシーンの前記ライブマイグレーションの間、前記ＱＰとの通信を停止することが可能である、請求項１〜８のいずれか１項に記載のシステム。
【請求項１０】
接続マネージャ（ＣＭ）は、前記ライブマイグレーションが完了した後で、マイグレートされた前記ＱＰと前記ピアＱＰとの間の新しい接続を再確立することが可能である、請求項９に記載のシステム。
【請求項１１】
ネットワークにおいてバーチャルマシーンのライブマイグレーションをサポートするための方法であって、
前記ネットワークを介して相互に接続される複数のホストを提供するステップと、
１つ以上のバーチャルマシーンを提供するステップとを含み、前記１つ以上のバーチャルマシーンにおける少なくとも１つのバーチャルマシーンには、ホスト上のホストチャネルアダプタ（ＨＣＡ）によってサポートされるキューペア（ＱＰ）に関連付けられる仮想機能が付与され、前記方法はさらに、
前記少なくとも１つのバーチャルマシーンを介して第１のホストから第２のホストへのライブマイグレーションを行なうステップを含む、方法。
【請求項１２】
コンピュータ読取可能なプログラムであって、実行されると、システムに、
ネットワークを介して相互に接続される複数のホストを提供するステップと、
１つ以上のバーチャルマシーンを提供するステップとを行なわせ、前記１つ以上のバーチャルマシーンにおける少なくとも１つのバーチャルマシーンには、ホスト上のホストチャネルアダプタ（ＨＣＡ）によってサポートされるキューペア（ＱＰ）に関連付けられる仮想機能が付与され、さらに、
前記少なくとも１つのバーチャルマシーンを介して第１のホストから第２のホストへの
ライブマイグレーションを行なうステップを実行させる、コンピュータ読取可能なプログラム。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
各々が領域内の追跡されるべき物体からのビーコン信号を得る無線受信器及び通信インターフェースを含む複数の照明ユニットと、
前記複数の照明ユニットの少なくとも１つと通信し、２以上の前記照明ユニットによって受信された前記ビーコン信号及びトポロジテーブルのみを用いて前記物体に関する追跡データを決定する通信ユニットを含む制御ユニットとを有し、前記トポロジテーブルが前記複数の照明ユニットの地理的位置と街路データ情報を含む前記領域のマッピングデータとに基づくものである、
照明ネットワーク。
【請求項２】
前記制御ユニットは、更に、前記追跡データを決定するための２以上の受信された前記ビーコン信号の信号強度及び前記トポロジテーブルを用いて、前記物体が位置する街路を決定する、請求項１に記載の照明ネットワーク。
【請求項３】
前記ビーコン信号が、物体のＩＤ、タイムスタンプ情報及び信号レベルのうちの少なくとも１つを更に含む、請求項２に記載の照明ネットワーク。
【請求項４】
前記無線受信器がＤＳＲＣ信号受信器である、請求項２に記載の照明ネットワーク。
【請求項５】
前記追跡されるべき物体が車両であり、前記追跡データが、前記ＤＳＲＣ信号受信器を介して前記車両に返送される交通情報を決定するために処理される、請求項４に記載の照明ネットワーク。
【請求項６】
前記複数の照明ユニットのうちの少なくとも１つが、車両の駐車場の利用可能性を決定するために使用されるべきデータを収集するセンサを更に含む、請求項１に記載の照明ネットワーク。
【請求項７】
前記制御ユニットが、更に、前記センサからのデータを処理して、前記複数の照明ユニットのうちの１以上を介して前記車両に駐車場利用可能性メッセージを供給する、請求項６に記載の照明ネットワーク。
【請求項８】
前記制御ユニットが、更に、前記車両からのリクエストを処理して、前記複数の照明ユニットのうちの前記１以上を介して駐車スペースのための支払い及び／又は登録を行う、請求項７に記載の照明ネットワーク。
【請求項９】
前記制御ユニットが、更に、前記複数の照明ユニットのうちの前記１以上を介して駐車違反を見付けるために前記駐車スペースの占有状態を追跡する、請求項８に記載の照明ネットワーク。
【請求項１０】
複数の照明ユニットを含む照明ネットワークにおいて使用されるコントローラであって、
前記複数の照明ユニットのうちの少なくとも１つから、車両に関するビーコン信号を受信する通信ユニットと、
２以上の前記照明ユニットによって受信された前記ビーコン信号及びトポロジテーブルのみを用いて領域内の前記車両に関する追跡データを決定するプロセッサとを有し、前記トポロジテーブルが前記複数の照明ユニットの地理的位置と街路データ情報を含む前記領域のマッピングデータとに基づくものである、
コントローラ。
【請求項１１】
前記交通関連情報が、前記車両の予想経路、所定の位置に関する交通の流れ、前記車両の平均速度、特定の車両の追跡情報、法の執行に必要な情報、渋滞課金のために用いられる情報、及び動的交通信号シーケンスのための情報のうちの少なくとも１つを含む、請求項１０に記載のコントローラ。
【請求項１２】
交通情報を決定する方法であって、
複数の照明ユニットから車両に関して複数のビーコン信号を受信するステップと、
前記複数のビーコン信号の１以上を、特定のビーコン信号が所定の閾値より低い場合に除去するステップと、
前記特定の車両が位置する街路をトポロジテーブル及び前記複数のビーコン信号を用いて決定するステップであって、前記トポロジテーブルが前記照明ユニットの地理的位置及び前記複数の照明ユニットが位置する区域に関する街路データに基づくものであるステップと、
前記街路に沿った前記特定の車両の位置を、前記複数のビーコン信号に基づいて推定するステップと、
を有する、方法。
【請求項１３】
前記特定の車両の進行経路を、前記推定するステップから得られる複数の前記位置及び該複数の位置の各々の関連するタイムスタンプ情報に基づいて計算するステップを更に有する、請求項１２に記載の方法。
【請求項１４】
前記特定の車両の平均速度を、前記推定するステップから得られる複数の前記位置及び該複数の位置の各々の関連するタイムスタンプ情報に基づいて計算するステップを更に有する、請求項１２に記載の方法。
【請求項１５】
領域における交通の流れを、一定の期間内に該領域を通過する車両の平均数に基づいて計算するステップを更に有する、請求項１２に記載の方法。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
単一の生物学的試料の合成画像を提供するための方法であって、
（１）生物学的試料の第１の画像を生成する工程であって、
ａ．固体支持体上の試料を、標的タンパク質用の第１のバインダーと接触させる工程、
ｂ．形態学的情報を提供する蛍光マーカーで、試料を染色する工程、
ｃ．第１のバインダー及び蛍光マーカーからの信号を、蛍光により検出する工程、
ｄ．検出した蛍光信号から、試料の少なくとも一部の第１の画像を生成する工程
を含む工程と、次いで、
（２）生物学的試料の第２の画像を生成する工程であって、
ａ．工程（１）からの同じ試料を、少なくとも１つの標的核酸配列の各々に対するプローブと接触させることにより、プローブを標的核酸配列とハイブリダイズさせる工程、
ｂ．任意に、蛍光マーカーにより試料を染色する工程、
ｃ．標的核酸配列の各々に対するプローブ及び蛍光マーカーからの信号を、蛍光により検出する工程、及び
ｄ．検出した蛍光信号から、試料の少なくとも一部の第２の画像を生成する工程
を含む工程と、
（３）標的タンパク質及び標的核酸の両方の相対位置を提供する合成画像を生成する工程と
を含む、方法。
【請求項２】
合成画像の生成が、第１の画像の生成及び第２の画像の生成で得られる信号情報を使用して、合成画像を生成する工程を含む、請求項１記載の方法。
【請求項３】
合成画像の生成が、工程２で得られた蛍光マーカーからの信号の位置と共に、工程１で得られた蛍光マーカーからの信号の位置を登録する工程を含む、請求項１記載の方法。
【請求項４】
工程（１）（ｄ）が、
（ｉ）検出した蛍光信号から、試料の少なくとも一部の最初の画像を生成する工程、及び
（ｉｉ）最初の画像から関心領域を選択し、少なくとも第１のバインダー及び蛍光マーカーからの信号を蛍光により検出して、最初の画像より高い解像度で第１の画像を生成する工程
を含む、請求項１乃至請求項３のいずれか１項記載の方法。
【請求項５】
合成画像が、より高い解像度の画像及び第２の画像からの信号情報を組み合わせることにより生成される、請求項４記載の方法。
【請求項６】
第２の画像における蛍光マーカーからの信号位置と共に、より高い解像度の画像における蛍光マーカーからの信号の位置を登録する工程を含む、請求項４又は請求項５記載の方法。
【請求項７】
第１の画像を生成する工程及び／又は第２の画像を生成する工程が、明視野染色に類似する明視野型画像を生成する工程を含んでおり、明視野型画像が疑似Ｈ＆Ｅ画像又は疑似ＤＡＢ画像に類似する、請求項１乃至請求項６のいずれか１項記載の方法。
【請求項８】
関心領域が、第１の画像の明視野型画像からの形態学的情報に基づく少なくとも一部において選択される、請求項７記載の方法。
【請求項９】
バインダーが、標的タンパク質に特異的な抗体である、請求項１乃至請求項８のいずれか１項記載の方法。
【請求項１０】
抗体が、蛍光体で標識されている、請求項９記載の方法。
【請求項１１】
工程（１）（ａ）において、試料を、追加の形態学的情報を提供する１種以上の追加のバインダーとも接触させ、工程（１）（ｃ）において、１種以上の追加のバインダーからの信号も、蛍光により検出する、請求項１乃至請求項１０のいずれか１項記載の方法。
【請求項１２】
工程（２）（ａ）の前に、プロテアーゼにより試料を消化する工程をさらに含む、請求項１乃至請求項１１のいずれか１項記載の方法。
【請求項１３】
工程（２）（ａ）において、ハイブリダイゼーション反応が、ＦＩＳＨ、ＩＱ−ＦＩＳＨ、インサイツＰＣＲ、ローリングサイクル増幅及び準備刺激インサイツ標識化からなる群から選択される、請求項１乃至請求項１２のいずれか１項記載の方法。
【請求項１４】
工程（１）（ｄ）後に、第１のバインダーからの蛍光信号が修飾される、請求項１乃至請求項１３のいずれか１項記載の方法。
【請求項１５】
異なるタンパク質についての別のバインダーで工程（１）（ａ）〜（１）（ｄ）を繰り返す、請求項１４記載の方法。
【請求項１６】
工程（２）（ｄ）後に、プローブからの蛍光信号を、酸化、ストリッピング、光脱色又はそれらの組み合わせにより修飾し、所望の追加の核酸配列に対するプローブで工程（２）（ａ）〜（２）（ｄ）を繰り返す、請求項１乃至請求項１５のいずれか１項記載の方法。
【請求項１７】
請求項１記載の生物学的試料の合成画像を提供する工程と、合成画像から所望のタンパク質の発現及び核酸配列を分析する工程とを含む、生物学的試料を分析する方法。
【請求項１８】
工程（１）（ａ）において、試料を、追加の形態学的情報を提供する１種以上の追加のバインダーとも接触させ、工程（１）（ｃ）において、１種以上の追加のバインダーからの信号も、蛍光により検出し、当該方法が、第１の画像についての混色合成画像を形成する工程をさらに含んでいて、合成画像が、標的タンパク質の画像、少なくとも１つの追加のバインダー及び蛍光マーカーにより表される形態学的情報を含む、請求項１７記載の方法。
【請求項１９】
同じ生物学的試料における、タンパク質の蛍光検出及び標的核酸配列の蛍光検出用の成分を含む、キット。
【請求項２０】
同じ生物学的試料における、タンパク質及び標的核酸配列の蛍光検出を行うための手段を含む、システム。
【請求項２１】
単一の生物学的試料の第１及び第２の画像を生成するための方法であって、
（１）生物学的試料の第１の画像を生成する工程であって、
ａ．固体支持体上の試料を、標的タンパク質用の第１のバインダーと接触させる工程、
ｂ．形態学的情報を提供する蛍光マーカーで、試料を染色する工程、
ｃ．第１のバインダー及び蛍光マーカーからの信号を、蛍光により検出する工程、
ｄ．検出した蛍光信号から、試料の少なくとも一部の第１の画像を生成する工程
を含む工程と、次いで、
（２）生物学的試料の第２の画像を生成する工程であって、
ａ．工程（１）からの同じ試料を、少なくとも１つの標的核酸配列の各々に対するプローブと接触させることにより、プローブを標的核酸配列とハイブリダイズさせる工程、
ｂ．任意に、蛍光マーカーにより試料を染色する工程、
ｃ．標的核酸配列の各々に対するプローブ及び蛍光マーカーからの信号を、蛍光により検出する工程、
ｄ．検出した蛍光信号から、試料の少なくとも一部の第２の画像を生成する工程
を含む工程と
を含む、方法。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
生物学的試料における関心領域の画像を生成する方法であって、当該方法が、
１）第１のプロトコルを受けているが、第２のプロトコルを受けていない、生物学的試料の関心領域を含む第１の画像を生成する工程と、
２）第２のプロトコルを受けた後の、生物学的試料の関心領域を含む第２の画像を生成する工程と
を含んでおり、関心領域が試料よりも小さく、第２のプロトコルが、標的タンパク質の免疫蛍光検出或いはプローブを標的核酸配列とハイブリダイズさせることによる少なくとも１つの標的核酸配列の蛍光検出を含む、方法。
【請求項２】
関心領域が、所定の規準に対して、生物学的試料の第１の画像を比較することにより選択される、請求項１記載の方法。
【請求項３】
第１のプロトコルが、標的タンパク質の免疫蛍光検出を含む、請求項１又は請求項２記載の方法。
【請求項４】
免疫蛍光検出が、抗体を標的タンパク質と物理的に結合させることを含む、請求項３記載の方法。
【請求項５】
抗体が、蛍光体で標識されている、請求項４記載の方法。
【請求項６】
第１のプロトコルが、形態学的情報を提供する１種以上の追加のタンパク質の蛍光検出をさらに含む、請求項３乃至請求項５のいずれか１項記載の方法。
【請求項７】
ハイブリダイゼーション反応が、ＦＩＳＨ、ＩＱ−ＦＩＳＨ、インサイツＰＣＲ、ローリングサイクル増幅及び準備刺激インサイツ標識化からなる群から選択される、請求項１記載の方法。
【請求項８】
第１又は第２のプロトコルが、形態学的情報を提供する蛍光マーカーで、試料を染色することを含む、請求項１乃至請求項７のいずれか１項記載の方法。
【請求項９】
蛍光マーカーが、細胞の核を染色する、請求項８記載の方法。
【請求項１０】
第１又は第２のプロトコルが、生物学的試料の自己蛍光を検出することを含む、請求項１乃至請求項９のいずれか１項記載の方法。
【請求項１１】
第１及び第２の画像が、蛍光画像である、請求項１乃至請求項１０のいずれか１項記載の方法。
【請求項１２】
第１の画像を生成する工程及び／又は第２の画像を生成する工程が、明視野染色に類似する明視野型画像を生成する工程を含んでおり、明視野型画像が疑似Ｈ＆Ｅ画像又は疑似ＤＡＢ画像に類似する、請求項１１記載の方法。
【請求項１３】
第１及び第２の画像それぞれからの少なくとも関心領域を含む合成画像を生成する工程をさらに含む、請求項１乃至請求項１２のいずれか１項記載の方法。
【請求項１４】
合成画像を生成する工程が、第２の画像の生成中に取得された、選択された信号の位置と共に、第１の画像の生成中に取得された、選択された信号の位置を登録する工程を含む、請求項１３記載の方法。
【請求項１５】
選択された信号の位置が、関心領域内からである、請求項１３又は請求項１４記載の方法。
【請求項１６】
請求項１記載の生物学的試料の画像を提供する工程、及び画像から生物学的試料を分析する工程を含む、生物学的試料を分析する方法。
【請求項１７】
生物学的試料の画像を生成する方法であって、
１）第１のプロトコルが生物学的試料に行われた後で、第２のプロトコルが生物学的試料に行われる前に、生物学的試料の第１の画像を生成する工程、及び
２）第２のプロトコルが生物学的試料の関心領域に行われた後の、試料の関心領域をイメージングする工程を含み、
関心領域が、試料より小さい、
方法。
【請求項１８】
生物学的試料をイメージングする方法であって、
１）第１のプロトコルを行った後であるが、それについての第２のプロトコルを行う前に、生物学的試料の第１の画像を生成する工程、及び
２）第２のプロトコルを関心領域に行った後の、試料の関心領域の第２の画像を生成する工程を含み、
関心領域が、試料より小さい、
方法。
【請求項１９】
第２の画像が、第１の画像によりカバーされる領域と比較して、生物学的試料のより小さい領域をカバーする、請求項１記載の方法。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
筐体と、
前記筐体に結合され、グリーンシフトされた白色光を発する少なくとも一つの第１発光ダイオード（ＬＥＤ）と、
前記筐体に結合され、ブルーシフトされた白色光を発する蛍光体を含む少なくとも一つの第２ＬＥＤと、
前記筐体に結合され、レッド‐オレンジ光及びアンバー光のうちの少なくとも一つを発する少なくとも一つの第３ＬＥＤと、
を含む、照明源。
【請求項２】
前記少なくとも一つの第１ＬＥＤは、グリーンシフトされた白色光を発する蛍光体を有する第１ブルー‐ポンプＬＥＤを含む、請求項１に記載の照明源。
【請求項３】
前記グリーンシフトされた白色光は、座標（0.31，0.36）、（0.34，0.35）、（0.40，0.54）、及び（0.42，0.52）により規定される第１領域内にＣＩＥ１９３１色度座標（ｘ，ｙ）を有する、請求項２に記載の照明源。
【請求項４】
前記少なくとも一つの第２ＬＥＤは、第２ブルー‐ポンプＬＥＤを含む、請求項３に記載の照明源。
【請求項５】
前記ブルーシフトされた白色光は、座標（0.278，0.250）、（0.292，0.270）、（0.245，0.285）、及び（0.267，0.320）により規定される第２領域内にＣＩＥ１９３１色度座標（ｘ，ｙ）を有する、請求項４に記載の照明源。
【請求項６】
前記第１ブルー‐ポンプＬＥＤ及び前記第２ブルー‐ポンプＬＥＤの各々は、赤色蛍光体を含まない、請求項４に記載の照明源。
【請求項７】
前記少なくとも一つの第３ＬＥＤは、約６１０ナノメートルの波長を有するレッド‐オレンジ光を発する、請求項１に記載の照明源。
【請求項８】
前記少なくとも一つの第３ＬＥＤは、約５９０ナノメートルの波長を有するアンバー光を発する、請求項１に記載の照明源。
【請求項９】
前記少なくとも一つの第１ＬＥＤと、前記少なくとも一つの第２ＬＥＤと、前記少なくとも一つの第３ＬＥＤとの組み合わせに結合されたコントローラを更に有し、前記コントローラは、約２４００Ｋ〜６５００Ｋの相関色温度（ＣＣＴ）の範囲の黒体軌跡付近の複数の点のうちの少なくとも一つに対応する光を生成するために、前記組み合わせの光出力を可変的に調整する、請求項１に記載の照明源。
【請求項１０】
前記少なくとも一つの第１ＬＥＤと、前記少なくとも一つの第２ＬＥＤと、前記少なくとも一つの第３ＬＥＤとの前記組み合わせは、６０ルーメン毎ワットを超える効率を維持しながら、前記黒体軌跡に沿って約２４００Ｋ〜６５００ＫのＣＣＴ範囲を含む複数のＡＮＳＩ四角形の各々の範囲内で調整可能な白色光を生成する、請求項９に記載の照明源。
【請求項１１】
前記少なくとも一つの第１ＬＥＤと、前記少なくとも一つの第２ＬＥＤと、前記少なくとも一つの第３ＬＥＤとの前記組み合わせは、８５を超える演色評価数（ＣＲＩ）を維持しながら、前記黒体軌跡に沿って約２４００Ｋ〜６０００ＫのＣＣＴ範囲を含む複数のＡＮＳＩ四角形の各々の範囲内で調整可能な白色光を生成する、請求項９に記載の照明源。
【請求項１２】
前記少なくとも一つの第１ＬＥＤと、前記少なくとも一つの第２ＬＥＤと、前記少なくとも一つの第３ＬＥＤとの前記組み合わせは、５００ルーメンを超える出力を維持しながら、約２４００Ｋ〜５０００ＫのＣＣＴ範囲を含む複数のＡＮＳＩ四角形の各々の範囲内で調整可能な白色光を生成する、請求項９に記載の照明源。
【請求項１３】
光を生成する方法であって、
グリーンシフトされた白色光を発する少なくとも一つの第１発光ダイオード（ＬＥＤ）と、ブルーシフトされた白色光を発する蛍光体を含む少なくとも一つの第２ＬＥＤと、レッド‐オレンジ光及びアンバー光のうちの少なくとも一つを発する少なくとも一つの第３ＬＥＤと、を含む、請求項１乃至１２の何れか一項に記載の照明源を用いて白色光を生成するステップを含み、
前記生成された白色光は、黒体軌跡付近の複数の点の少なくとも一つに対応する、
方法。
【手続補正書】
【提出日】平成28年4月7日(2016.4.7)
【手続補正１】
【補正対象書類名】特許請求の範囲
【補正対象項目名】全文
【補正方法】変更
【補正の内容】
【特許請求の範囲】
【請求項１】
局部的な荷重条件下で印加される荷重（２６、３３）に対するシートメタルパネル（１２）のスナップスルー座屈を予測する方法であって、
前記シートメタルパネル（１２）は特定の規定された形状を有し、
前記方法は、以下のステップを含む。
前記シートメタルパネル（１２）の第１の主曲率半径（Ｒ１）を特定し、
前記シートメタルパネル（１２）の第２の主曲率半径（Ｒ２）を特定し、
前記シートメタルパネル（１２）の厚さ（ｔ）を特定し、
構造的支持体（３２）間の前記シートメタルパネルの部分の距離（Ｌ２）を特定し、
スナップスルー座屈に対する荷重たわみ挙動を決定するために数学関数を作成し、
数学的方法論曲線と組み合わせて、前記第１及び第２の主曲率半径（Ｒ１、Ｒ２）、前記シートメタルパネル（１２）の厚さ（ｔ）、前記構造的支持体（３２）間の前記シートメタルパネル（１２）の部分の距離（Ｌ２）のパラメータを入力して、初期曲線と不安定点と当該不安定点に続く荷重たわみ曲線とを含む全体的な荷重たわみ曲線を回帰分析を用いて予測し生成することにより、様々な局部的に印加された荷重（２６、３３）下のスナップスルー座屈特性を表示するための前記シートメタルパネル（１２）の尤度を決定する。
【請求項２】
前記第１の主曲率半径（Ｒ１）は、前記シートメタルパネル（１２）の正面曲率半径である、
請求項１に記載のスナップスルー座屈を予測する方法。
【請求項３】
前記第２の主曲率半径（Ｒ２）は、前記シートメタルパネル（１２）の側面曲率半径である、
請求項１に記載のスナップスルー座屈を予測する方法。
【請求項４】
前記シートメタルパネル（１２）は、ルーフパネル（３０）であり、
前記厚さ（ｔ）は、前記ルーフパネル（３０）の厚さである、
請求項１に記載のスナップスルー座屈を予測する方法。
【請求項５】
前記距離（Ｌ２）は、前記ルーフパネル（３０）を支持するルーフボウ（３２）間の長さである、
請求項４に記載のスナップスルー座屈を予測する方法。
【請求項６】
前記回帰分析によって決定された、更なる分析に用いられる構造の決定に基づいて、前記シートメタルパネル（１２）に印加される局部的な荷重（２６）プロセスのＦＥＡモデル（１０）を作成するステップを更に含む、
請求項１に記載のスナップスルー座屈を予測する方法。
【請求項７】
プレート形状変数の入力及び局部的な荷重（２６）プロセスのＦＥＡモデル（１０）に基づいて、前記シートメタルパネル（１２）の仮想実験を実行するステップをさらに含む、
請求項１に記載のスナップスルー座屈を予測する方法。
【請求項８】
前記方法は、安定応答曲線及び崩壊又は座屈応答曲線を含むハードオイルキャンニングを示す荷重たわみ曲線を生成する、
請求項１に記載のスナップスルー座屈を予測する方法。
【請求項９】
前記方法は、安定応答曲線及び崩壊又は座屈応答曲線を含むソフトオイルキャンニングを示す荷重たわみ曲線を生成する、
請求項１に記載のスナップスルー座屈を予測する方法。
【請求項１０】
前記方法は、安定応答曲線のみを有するオイルキャンニングなしを示す荷重たわみ曲線を生成する、
請求項１に記載のスナップスルー座屈を予測する方法。
【請求項１１】
前記荷重は、平面圧子（３３ａ）を用いて印加される、
請求項１に記載のスナップスルー座屈を予測する方法。
【請求項１２】
局部的な荷重条件下で印加される荷重（２６、３３）に対するシートメタルパネル（１２）の耐スナップスルー座屈性を実行、予測する装置であって、
前記シートメタルパネル（１２）は特定の規定された形状を有し、
前記装置は、
少なくとも一つの曲率を有する前記シートメタルパネル（１２）の規定された形状を近似する手段、
前記シートメタルパネル（１２）の少なくとも一つの曲率（Ｒ１、Ｒ２）に印加される局部的な荷重（２６）プロセスのＦＥＡモデル（１０）を作成する手段、
オイルキャンニングの耐性へ前記シートメタルパネル（１２）に影響する形状変数、少なくとも一つの曲率値を含む曲率（Ｒ１、Ｒ２）を入力する手段、
入力された変数及び局部的な荷重プロセス（２６）のＦＥＡモデル（１０）に基づいて、前記シートメタルパネル（１２）の仮想実験を実行する手段、
前記仮想実験から回帰モデルを開発する手段、
を備え、
前記回帰モデルは、局部的な荷重プロセス（２６）下での前記シートメタルパネル（１２）の耐オイルキャンニング性を予測して示すと共に、初期曲線と不安定点と当該不安定点に続く荷重たわみ曲線とを含む全体的な荷重たわみ曲線を生成する。
【請求項１３】
前記シートメタルパネル（１２）の規定された形状は、正面曲率半径（Ｒ１）、側面曲率半径（Ｒ２）、前記シートメタルパネル（１２）の支持体（３２）間の長さ（Ｌ２）、前記シートメタルパネル（１２）の厚さ（ｔ）を含む、
請求項１２に記載の装置。
【請求項１４】
前記印加された荷重（２６）は、平面圧子（３３ａ）によって与えられる、
請求項１２に記載の装置。
【請求項１５】
前記構造的支持体の配置を調整してスナップスルー座屈を回避するために、前記荷重たわみ曲線の結果を用いる、
請求項１に記載のスナップスルー座屈を予測する方法。